(57)【要約】【課題】  本物の小魚の餌を餌として用いて、しかも死んだ魚でも水中で生きているのとあまり変わらない姿勢を保つことが出来て、烏賊の乗りも良く、しかも大物でも大幅に釣果を上げることの出来る釣り具を提供する。【解決手段】  この釣り具は、餌の内部を縦に貫く棒状の軸１と、該軸１の一方の端部に結び付けた第１のハリス糸６ａの端部に取り付ける全体が半円状または円状になるように形成されたフック３と、該フック３の近傍に設けられたフロート２と、前記軸１の他方の端部に一方を結びつけると共に他方を道糸４に結びつける第２のハリス糸６ｂと、で構成される。また、軸１１の端部にハリス６ｃを取り付け、該ハリス糸６ｃにフック３と餌に突き刺す硬い細棒５とを一体としたものを設ける構成としてもよい。また、フック３は前後或いは平行に二組設けてもよい。【選択図】  図３
0003129668.tif 000002
【実用新案登録請求の範囲】
【請求項１】
餌の内部を縦に途中まで貫く棒状の軸と、該軸の一方の端部に結び付けた第１のハリス糸の端部に取り付ける多数の曲げ針を全体が半円状または円状になるように形成されたフックと、該フックの近傍に設けられたフロートと、前記軸の他方の端部に一方を結びつけると共に他方を道糸に結びつける第２のハリス糸と、より成ることを特徴とする釣り具。
【請求項２】
餌の内部を縦に途中まで貫く棒状の軸と、該軸部の一方の端に結び付けた第１のハリス糸の端部に取り付ける多数の曲げ針を全体が半円形状または円状になるように形成されたフックと、該フックの近傍に設けられたフロートと、前記軸の他方の端部に一方を結びつけると共に該他方に餌固定手段を介して道糸に結びつける第２のハリス糸と、より成ることを特徴とする釣り具。
【請求項３】
前記軸の、フックを設ける第１のハリス糸を結び付ける側の近傍に、餌止め用フロートを設けてなることを特徴とする請求項１または請求項２に記載の釣り具。
【請求項４】
餌の内部を縦に貫く棒状の軸と、該軸の一方の端部に取付ける道糸の端部と共にその端部を取り付けたハリス糸に取付けられ餌の上に載せるフックと、カギ形に形成され且つその一方を該餌の上に載せる前記フックの軸部と一体に接合され他方を餌に突き刺す硬い細棒と、で構成され、
前記軸の他方の端部は、槍状に先鋭化してあることを特徴とする釣り具。
【請求項５】
前記餌の上に載せるフックと、カギ形に形成され且つその一方を該餌の上に載せる前記フックの軸部と一体に接合され他方を餌に突き刺す硬い細棒とが、複数本設けてあることを特徴とする請求項４に記載の釣り具。
【請求項６】
餌の内部を縦に貫く棒状の軸と、該軸の一方の端部近傍の軸方向上下に設けられ、該軸を挟んで三股となるように形成する二本の細棒と、道糸の端部を取り付ける軸の一方の外端部と三股との間に多数の曲げ針を全体が円形状又は半輪状になるように形成したフックと、で構成され、
前記軸の他方の端部に雌ねじと螺合する雄ねじと、を形成して成ることを特徴とする釣り具。
【考案の詳細な説明】
【技術分野】
【０００１】
本考案は、釣り具、特に烏賊釣り用として用いた場合、烏賊の乗りが良く、確実に大物でも釣り上げることのできる釣り具に関する。
【背景技術】
【０００２】
従来、烏賊釣り用の釣り具としては、疑似である餌木本体の中に軸棒を通し、該餌木本体の尾部に傘針を取り付け、前記軸棒から糸状のギャフ部をつなぎ、該ギャフ部の端部にギャフ針を付けたものが知られている（特許文献１）。また、海中での沈下速度を遅くし、アオリ烏賊等の烏賊の抱き付き率を高くするものとして、小魚やエビ類を象った餌木の尾部に掛針を備え、頭部に釣り糸の結び輪を有し、餌木の頭頂部寄り両側に水中での餌木の昇降角度を制御する水中翼を設けた疑似針も知られている（特許文献２）。その他、生餌を長持ちさせるために、生餌の頭部に鎧部を嵌め、該鎧部に環付針を設けたアオリ烏賊用の生餌用鎧仕掛が知られている（特許文献３）。
【０００３】
【特許文献１】特開２００３−０６１５１７
【特許文献２】特開２００２−２０４６３３
【特許文献３】特開２０００−３４２１４１
【考案の開示】
【考案が解決しようとする課題】
【０００４】
従来の烏賊釣り用の釣り具は、疑似餌が多く一旦烏賊がその疑似餌に乗ったときフックがうまく掛かれば釣れるが、フックに掛からなかった場合、二度とその烏賊は乗らず、釣果が悪くなる、という問題があった。また、疑似餌に本物の小魚を付けたものもあるがあまり乗りは良くなく、特に食いの悪いとき釣果に影響する、という問題があった。一方、本物の餌であれば乗りは良いが、餌の付け方が悪いと小魚自身が水中でひっくり返り、こうなると食いも悪くなるという問題もあった。
【０００５】
本考案は上記の問題に対処するためになされたもので、本物の小魚を餌として用いて、しかも死んだ魚でも水中で生きているのとあまり変わらない姿勢を保つことが出来て、烏賊の乗りも良く、しかも大物でも大幅に釣果を上げることの出来る釣り具を提供することを目的としている。
【課題を解決するための手段】
【０００６】
上記の課題を解決するため、本考案の請求項１に記載の発明は、釣り具が、餌の内部を縦に途中まで貫く棒状の軸（１）と、該軸（１）の一方の端部に結び付けた第１のハリス糸（６ａ）の端部に取り付ける多数の曲げ針（３ａ）を全体が半円状または円状になるように形成されたフック（３）と、該フック（３）の近傍に設けられたフロート（２）と、前記軸（１）の他方の端部に一方を結びつけると共に他方を道糸（４）に結びつける第２のハリス糸（６ｂ）と、より成ることを特徴とするものである。
【０００７】
本考案の請求項２に記載の発明は、釣り具が、餌の内部を縦に途中まで貫く棒状の軸（１）と、該軸（１）の一方の端部に結び付ける第１のハリス糸（６ａ）の端部に取り付けた多数の曲げ針（３ａ）を全体が半円形状または円状になるように形成されたフック（３）と、該フック（３）の近傍に設けられたフロート（２）と、前記軸（１）の他方の端部に一方を結びつけると共に該他方に餌固定手段（１０）を介して道糸（４）に結びつける第２のハリス糸（６ｂ）と、より成ることを特徴とするものである。
【０００８】
本考案の請求項３に記載の発明は、釣り具が、前記軸（１）の、フック（３）を設ける第１のハリス糸（６ａ）を結び付ける側の近傍に、餌止め用フロート（１３）を設けてなることを特徴とするものである。
【０００９】
本考案の請求項４に記載の発明は、釣り具が、餌の内部を縦に貫く棒状の軸（１１）と、該軸（１１）の一方の端部に取付ける道糸（４）の端部と共にその端部を取り付けたハリス糸（６ｃ）に取付けられ餌の上に載せるフック（３）と、カギ形に形成され且つその一方を該餌の上に載せる前記フックの軸部と一体に接合され他方を餌に突き刺す硬い細棒（５）と、で構成され、
前記軸の他方の端部は、槍状に先鋭化してあることを特徴とするものである。
【００１０】
本考案の請求項５に記載の発明は、前記餌の上に載せるフック（３）と、カギ形に形成され且つその一方を該餌の上に載せる前記フックの軸部（３ｓ）と一体に接合され他方を餌に突き刺す硬い細棒（５）とが、複数本設けてあることを特徴とするものである。
【００１１】
本考案の請求項請求項６に記載の発明は、釣り具が、餌の内部を縦に貫く棒状の軸（２１）と、該軸（２１）の一方の端部近傍の軸方向上下に設けられ、該軸を挟んで三股となるように形成する二本の細棒（２１ｄ，２１ｅ）と、道糸（４）の端部を取り付ける軸の一方の外端部と三股との間に多数の曲げ針（３ａ）を全体が円形状又は半輪状になるように形成したフックと、で構成され、
前記軸の他方の端部に雌ねじと螺合する雄ねじ（２１ａ）と、を形成して成ることを特徴とするものである。
【考案の効果】
【００１２】
本考案の釣り具によれば、餌となる小鰺や小鯖等の餌に軸を縦に突き通すと、フロートにより餌が生きているように水中で自然に動くので烏賊が乗りやすく且つ簡単にフック部分に引っ掛かり釣果を上げることができる。また、このとき小鰺等の餌の背びれが上を向くので生きているかのように潮の流れに乗り、烏賊を簡単に騙すことがができる。
【００１３】
また、本考案の釣り具によれば、餌の取り替えも簡単となり初心者でも烏賊釣りやスズキ釣りを楽しむことができる。更に、初心者でもベテランでもあまり釣果に変わりがない。このことは、この考案の釣り具が初心者が使用してもベテランが使用しても、烏賊等にとって極めて食いつき易いという効果があることを示している。
【００１４】
さらに、この考案の釣り具を実際に烏賊釣り用として試した所、大きな烏賊を釣るのに特に効果があった。実際に使用して見ると、烏賊を掛け損なっても何回でも同じこの釣り具に乗ることが判明した。特にこの考案の釣り具は、本物の小魚の餌を用い、しかも自然に泳ぐ格好となるので確実に釣ることができる。
【考案を実施するための最良の形態】
【００１５】
以下、図面を参照して本考案の具体的な実施形態を詳述する。しかし、本考案はこれらに限定されるものではない。
【００１６】
図１は、本考案の第１の実施の形態に係る釣り具の正面図である。この釣り具は、餌の内部を縦に途中まで貫く棒状の軸１と、該軸１の一方の端部に結び付けた第１のハリス糸６ａの端部に取り付けた多数の曲げ針３ａ，３ａ，・・を全体が半円状または円状になるように形成されたフック（掛針）３と、該フック３の近傍に設けられたフロート２と、前記軸１の他方の端部に一方を結びつけると共に他方を道糸に結びつける第２のハリス糸６ｂと、より構成されている。
【００１７】
前記軸１に結びつける第２のハリス糸６ｂの一方は軸１に設けた小孔１ａに結びつけ、他方はより戻し７の丸輪７ａに結びつけてある。図に示すように、より戻し７には、餌固定用の玉８と短いゴム管９とよりなる餌固定手段１０が連結され、該餌固定手段１０を介して道糸４に結びつける。この場合、道糸４には係止具１２が取り付けてあり、道糸４を通してあるが、餌固定手段１０を設けず直接第２のハリス糸６を道糸４に結びつけてもよい。
なお、前記軸１の、フック３を設ける第１のハリス糸６ａを結び付ける側の近傍に、餌止め用フロート１３を設けることもある。
【００１８】
次に、この考案の釣り具を餌に取り付ける方法について説明する。図２は、この実施の形態の釣り具を餌の小魚に取り付ける場合の取り付け方法を示す図であり、図２（Ａ）は、この考案の釣り具を取り付ける前の状態を示し、図２（Ｃ）は、釣り具を取り付けた状態を示す。
先ず、図２（Ａ）に示すように、軸１の一方の端部にフック３とフロート２を取り付けた第１のハリス糸６ａを取り付け、他方に第２のハリス糸６ｂを取り付ける。そして、餌Ｍの口から金属の軸部１４ａと把手１４ｂとから成る「ウニ通し１４」の軸部１４ａを縦に通して後側に出し、第２のハリス糸６ｂの輪６ｂ’に引っ掛けて再び餌Ｍの小魚の口から軸部１４ａと該軸部１４ａに引っ掛けた第２のハリス糸６ｂを引っ張り出す。この場合、図２（Ｂ）に示すように、「ウニ通し１４」は、軸部１４ａの先端が両方に鋭角としてどちらの側に通しても抵抗が少なくなるようにしてあり、且つ途中に切込み１４ｃを入れて糸を引っ掛けて引っ張ることができるようにしてある。そして、図２（Ｃ）に示すように、餌固定用の玉８と短いゴム管９とよりなる餌固定手段１０を介して道糸４のより戻し１２につなぐようになっている。
【００１９】
図３は、本考案の釣り具を餌Ｍに取り付け、道糸４につないで烏賊を釣る状態とした斜視図である。餌Ｍは、餌固定手段１０を介して道糸４につなぎ、該餌Ｍの後部のフック３の上にはフロート２があるため、餌Ｍは縦の状態となり、生きているかのように取り付けられる。従って烏賊の食いつきが良くなり、釣果も上ることになる。なお、係止具１２は、道糸４に沿って複数個の固定玉１６を取り付け、各固定玉１６部分で停止するよう一部が遊動するように孔の開いたものを用いて道糸４を通させても良い。こうして、本考案の釣り具を複数個取り付けることも可能である。
【００２０】
この考案の釣り具は、以上のような構成から成るが、実際に烏賊釣りの際、図３に示すような状態で水中に入れると、餌Ｍの小魚は、まるで生きているように立った状態で泳ぐように動かせることができる。そして、烏賊はこの餌Ｍの小魚を見つけると直ぐに餌Ｍを捕らえようとして乗って来る。そして、後部のフック３に引っ掛かるので、簡単に釣り上げることができる。餌Ｍは疑似餌と異なり、本当の小魚が生きているかのように動くことから、釣り人が掛け損なっても烏賊は再び直ぐに乗り、何回でも同じ仕掛けのこの釣り具に乗ろうとする。従って、釣果を確実に上げることができる。この釣り具は、慣れたベテランの釣り人でも初心者の釣り人でもあまり釣果に差はなかった。
【００２１】
図４は、本考案の釣り具の第２の実施の形態を示す斜視図であり、図５は、本考案の第２の実施の形態の釣り具を餌の小魚に取り付けた状態の正面図である。即ち、この実施の形態では、釣り具は、餌の内部を縦に貫く棒状の軸１１と、該軸１１の一方の端部１１ｃに取り付ける道糸の端部と共にハリス糸６ｃに取付けられ餌の上に載せるフック３と、カギ形に形成され且つその一方を該餌の上に載せるフック３の軸部３ｓと一体に接合され他方を餌に突き刺す硬い細棒５と、で構成され、且つ前記軸１１の他方の端部１１ａは返し１１ｄを形成すると共に、槍状に先鋭化して形成されている。前記フック３は、１〜３本の曲げ針３ａを適宜間隔をおいてまとめたものでも良いが、多数の曲げ針３ａ，３ａ，・・を全体が半円形状になるように形成されたものでも良い。
【００２２】
図５に示すように、この釣り具を餌に取り付ける際には軸１１の先鋭化された端部１１ａから縦方向に入れて行き、適宜な位置で軸１１の端部１１ｃに取り付けたハリス糸６ｃの先端部のフック３を餌Ｍの上に載せると共に、カギ形の細棒５の一方を餌Ｍに突き刺し、他方をフック３の軸部３ｓと接合して一体としてある。この場合でも、餌の小魚を生きているような状態で動かせることができる。従って、烏賊の乗りも良く釣果も良い。
【００２３】
図６は、本考案の釣り具の第３の実施の形態を示す斜視図である。即ち、この実施の形態では、釣り具は、第２の実施の形態の変形例であり、前記多数の曲げ針３ａ，３ａ，・・を全体が半円形状になるように形成され餌の上に載せるフック３と、カギ形に形成され、その一方を該餌の上に載せるフックの軸部３ｓと一体に接合され他方の端部１５ａ，１５ａを餌に突き刺す硬い細棒１５とが、複数本設けてある。この場合、二つの細棒１５と細棒１５とは対になるようにしてある。また、細棒１５は、軸１１の端部に穿設した小孔１１ｃ2 を通し、Ｕ字形に形成した細棒であり、両端部をそれぞれフック３、３の軸部３ｓ、３ｓと接合してある。尚、１１ｃ1 は道糸４の端部をくくり付ける小孔である。
【００２４】
次に、図７（Ａ）は、本考案の釣り具の第４の実施の形態を示す斜視図であり、図７（Ｂ）は、図７（Ａ）のＰ矢視正面図である。即ち、この変形実施例では、餌の内部を縦に貫くための棒状の軸と、該軸２１の一方の端部２１ｂ近傍の軸方向上下に設けられ、該軸２１を挟んで三股となるように形成する二本の細棒（２１ｄ，２１ｅ）と、道糸４の端部を取り付ける軸の一方の外端部２１ｆと三股との間に多数の曲げ針３ａ，３ａ，・・を全体が円形状又は半輪状になるように形成したフック３と、で構成され、前記軸２１の他方の端部２１ａに雌ねじと螺合する雄ねじ２１ｃと、が形成されている。
【００２５】
図８は、この変形実施例の釣り具を餌の小魚に取り付けた状態の斜視図である。この場合、他方の端部２１ａを形成すると共に、槍状に先鋭化してあると、餌に突き刺しやすくなる。この実施の形態で示すように、軸２１と上下に設けた二本の細棒（２１ｄ，２１ｅ）により餌の小魚は水中では縦の状態として動かせることができるので、まるで生きているかのように泳ぎ烏賊等が飛びつきやすくなる。尚、図示しない雌ねじ部には浮きや重りを付けて餌の角度を調整することができる。
【００２６】
尚、図９で示すように、本考案の釣り具を餌の小魚に取り付けた場合、軸１の端部１ａに浮きフロート２を取り付けたフック３の他に、フック３にカギ型の硬い細棒５を一体としたものをハリス糸６ｃに取り付け該ハリス糸６ｃをより戻し７に結び、カギ型の一方を餌Ｍに刺しても良い。
【００２７】
上記するように、本考案の釣り具は、疑似餌ではなく、本物の餌（小鰺、鰯、小鯖等）を取り付け、しかも水中で生きて泳ぐかのように取り付けることができるので、烏賊等の掛かりは極めて良くなる。また、本考案の釣り具は、烏賊だけでなく、カワハギや蛸、鱸（スズキ）等の肉食魚等でも掛けることができる極めて優れた釣り具である。
【図面の簡単な説明】
【００２８】
【図１】本考案の第１の実施形態に係る釣り具の正面図である。
【図２】図２（Ａ）は、この考案の釣り具を取り付ける前の状態を示し、図２（Ｂ）は、図２（Ａ）のＰ部拡大図であり、図２（Ｃ）は餌に本考案の釣り具を取り付けた状態の正面図である。
【図３】本考案の釣り具を実際の小魚の餌に取り付けた状態の斜視図である。
【図４】本考案の釣り具の第２の実施の形態を示す斜視図である。
【図５】本考案の第２の実施の形態の釣り具を餌の小魚に取り付けた状態の正面図である。
【図６】本考案の釣り具の第３の実施の形態を示す斜視図である。
【図７】本考案の釣り具の第４の実施の形態を示す斜視図である。
【図８】本考案である釣り具の第４の実施の形態であって、小魚に取り付けた状態の斜視図である。
【図９】本考案である釣り具の第１の実施の形態の釣り具に第２の実施の形態のフックと硬い細棒部分をハリス糸につけてた場合の実施例を示す図である。
【符号の説明】
【００２９】
１      軸
１ａ    軸の輪
２      フロート
３      フック（掛針）
３ａ    曲げ針
３ｓ    フックの軸部
４      道糸
５      硬い細棒
６ａ    第１のハリス糸
６ｂ    第２のハリス糸
６ｃ    ハリス糸
７      より戻し
８      餌固定用の玉
９      ゴム管
１０    餌固定手段
１１    軸
１２    係止具
１３    餌止め用フロート
１４    ウニ通し
２１    軸
Ｍ      餌
【図１】
0003129668.tif 000003
【図２】
0003129668.tif 000004
【図３】
0003129668.tif 000005
【図４】
0003129668.tif 000006
【図５】
0003129668.tif 000007
【図６】
0003129668.tif 000008
【図７】
0003129668.tif 000009
【図８】
0003129668.tif 000010
【図９】
0003129668.tif 000011